【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
前後方向、前記前後方向に直交する幅方向、及び厚さ方向と、
前胴回り域と、後胴回り域と、前記前胴回り域及び前記後胴回り域に挟まれている股下域と、
吸収性物品の前記幅方向の中心よりも前記幅方向の外側に配置される１のサイドシートと、
立体ギャザーとレッグギャザーと、を有し、
前記立体ギャザーは、
前記前後方向に伸縮性を有する１以上の立体弾性部材によって起立可能である起立部と、
前記起立部の起立支点となる起立端縁と、を有し、
前記レッグギャザーは、前記前後方向に伸縮性を有する１以上のレッグ弾性部材によって所定の幅で前記前後方向に収縮する収縮領域を有し、かつ前記起立端縁よりも前記幅方向の外側に配置されている、吸収性物品であって、
前記立体ギャザーと前記レッグギャザーとは、前記１のサイドシートを前記前後方向に延びる１つの折り目を基点に折り返すことによって互いに対向する一対のシート層によって構成されており、
前記幅方向において、前記一対のシート層は、前記立体ギャザーの起立時に最も肌面側に位置する立体弾性部材と接する位置から、前記幅方向において最も外側に配置されているレッグ弾性部材と接する位置まで、連続的に延びている、吸収性物品。
【請求項２】
前記１つの折り目が前記立体ギャザーに配置されるように、前記１のサイドシートが折り返されており、
前記１以上の立体弾性部材と前記１以上のレッグ弾性部材とが、前記一対のシート層に挟まれている請求項１に記載の吸収性物品。
【請求項３】
前記１のサイドシートよりも非肌面側に配置され、かつ前記１のサイドシートと直接的又は間接的に接合される構成部材を有し、
前記構成部材は、前記起立端縁よりも前記幅方向の外側へ延びている請求項１又は２に記載の吸収性物品。
【請求項４】
前記１のサイドシートよりも非肌面側に配置され、かつ液不透過性を有する液不透過シートを有し、
前記液不透過シートは、前記起立端縁よりも前記幅方向の外側へ延びている請求項１から３のいずれか１項に記載の吸収性物品。
【請求項５】
前記一対のシート層のそれぞれは、前記１のサイドシートの前記幅方向における端縁を有し、
前記一対のシート層の一方のシート層が有する前記端縁と他方のシート層が有する前記端縁とは、前記厚さ方向に重なっていない、請求項１から４のいずれか１項に記載の吸収性物品。
【請求項６】
前記１以上のレッグ弾性部材の数は、前記１以上の立体弾性部材の数よりも多い、請求項１から５のいずれか１項に記載の吸収性物品。
【請求項７】
前記１以上のレッグ弾性部材の数及び前記１以上の立体弾性部材の数は、２以上であり、
前記幅方向において、前記レッグ弾性部材どうしの間隔は、前記立体弾性部材どうしの間隔よりも狭い、請求項６に記載の吸収性物品。
【請求項８】
前記立体ギャザーの起立時に最も非肌面側に位置する立体弾性部材と前記起立端縁との間において、接着剤により前記一対のシート層どうしを接合するシート内接合部を有する請求項１から７のいずれか１項に記載の吸収性物品。
【請求項９】
前記立体ギャザーの起立時に最も非肌面側に位置する立体弾性部材と前記起立端縁との間の領域は、接着剤により前記一対のシート層どうしが接合されていない内側非接合領域である請求項１から７のいずれか１項に記載の吸収性物品。
【請求項１０】
前記幅方向において最も外側に配置されている前記レッグ弾性部材よりも前記幅方向の外側の領域は、前記一対のシート層どうしが接合されていない外側非接合領域である請求項１から９のいずれか１項に記載の吸収性物品。
【請求項１１】
前記吸収性物品の平面視において、前記１のサイドシートは、少なくとも前記吸収性物品の前記前後方向の中心よりも後側において、前記幅方向の外側へ向かうように湾曲しながら後方へ延びている部分を有する請求項１から１０のいずれか１項に記載の吸収性物品。
【請求項１２】
吸収性物品の幅方向の中心よりも幅方向の外側に配置される１のサイドシートと、
立体ギャザーと、レッグギャザーと、を有し、
前記立体ギャザーは、
前後方向に伸縮性を有する１以上の立体弾性部材によって起立可能である起立部と、
前記起立部の起立支点となる起立端縁と、を有し、
前記レッグギャザーは、前記前後方向に伸縮性を有する１以上のレッグ弾性部材によって所定の幅で前記前後方向に収縮する収縮領域を有し、かつ前記起立端縁よりも前記幅方向の外側に配置されており、
前記立体ギャザーと前記レッグギャザーとは、前記１のサイドシートを前記前後方向に延びる１つの折り目を基点に折り返すことによって互いに対向する一対のシート層によって構成されている吸収性物品を製造する吸収性物品の製造方法であって、
前記一対のシート層を有しかつ伸縮性を有する複合伸縮シートが前記前後方向に連続したシート連続体を形成する形成工程を有し、
前記形成工程は、
前記１以上の立体弾性部材を構成する第１連続弾性部材及び前記１以上のレッグ弾性部材を構成する第２連続弾性部材からなる複数の連続弾性部材を、前記１のサイドシートが前記前後方向に連続したサイドシート連続体に配置する工程と、
前記複数の連続弾性部材の全てが前記サイドシート連続体に挟まれるように、前記サイドシート連続体を１回折り返す折り工程と、を有する、吸収性物品の製造方法。
【請求項１３】
前記形成工程は、前記第１連続弾性部材が配置される第１弾性領域と前記第２連続弾性部材が配置される第２弾性領域との間の中間領域に、前記サイドシート連続体どうしを接合する接着剤を塗布する工程をさらに有する請求項１２に記載の吸収性物品の製造方法。
【請求項１４】
前記複合伸縮シートは、前記複合伸縮シートの前記前後方向の端部において、前記複合伸縮シートの前記前後方向の中央部よりも伸縮力が低い低伸縮領域を有しており、
前記シート連続体に、前記低伸縮領域を形成する工程と、
前記シート連続体を、少なくとも前記低伸縮領域と重なる領域において、前記１のサイドシートよりも非肌面側に配置される構成部材が連続した連続体と接合する工程と、を有する請求項１２又は１３に記載の吸収性物品の製造方法。
【請求項１５】
前記低伸縮領域を形成する工程では、前記シート連続体を圧搾して前記連続弾性部材を切断することにより、前記低伸縮領域を形成する請求項１４に記載の吸収性物品の製造方法。
【請求項１６】
前記吸収性物品の平面視において、前記１のサイドシートが、少なくとも前記吸収性物品の前記前後方向の中心よりも後側において、前記幅方向の外側へ向かうように湾曲しながら後方へ延びている部分を有するように、前記シート連続体を湾曲する工程と、
湾曲した前記シート連続体を、前記１のサイドシートよりも非肌面側に配置される構成部材が連続した連続体と接合する工程と、を有する請求項１２から１５のいずれか１項に記載の吸収性物品の製造方法。
【請求項１７】
前記１のサイドシートよりも非肌面側に配置される構成部材が連続した連続体に前記シート連続体を接合するための本体接着剤を、前記シート連続体に塗布する工程を有し、
前記シート連続体を湾曲する工程では、前記本体接着剤が塗布された前記シート連続体を湾曲する請求項１６に記載の吸収性物品の製造方法。
【請求項１８】
前記シート連続体を切断することによって前記複合伸縮シートを形成する工程と、
前記吸収性物品の平面視において、前記１のサイドシートが、少なくとも前記吸収性物品の前記前後方向の中心よりも後側において、前記幅方向の外側へ向かうように湾曲しながら後方へ延びている部分を有するように、前記複合伸縮シートを湾曲する工程と、
前記複合伸縮シートを、前記１のサイドシートよりも非肌面側に配置される構成部材が連続した連続体と接合する工程と、を有する請求項１２から１５のいずれか１項に記載の吸収性物品の製造方法。